(57)【要約】【課題】  特に紡績準備にて、繊維材料サンプルの繊維長及び繊維長分布を短時間で測定することができるようにすることを目的とする。【解決手段】  短時間でサンプル準備が均一に可能になるとともにサンプルの正確な測定が可能となるように、集まった繊維材料は、搬送装置３１により自動的に搬送可能であり、それを把持する取込装置３４へと供給されるようになっており、それから回転コーマ装置３８へと搬送可能であり、集まった繊維材料の各端部領域は、取込装置３４から突出し、コーミングローラ３９，４０によりくしけずられ、その後、測定装置により検出可能である。【選択図】      図４
2004277997.tif 000002
【特許請求の範囲】
【請求項１】
特に紡績準備にて、繊維材料サンプルの繊維長及び繊維長分布を測定する装置であって、サンプル準備要素が、測定、評価及び表示装置の上流に配置され、前記準備要素は、集まった繊維材料の処理用のクランプ装置及びコーマ要素を備え、該コーマ要素は、測定に使用するための繊維フリンジを作成するようにした装置において、
集まった繊維材料（１９；２８；２８ａ；２８ｂ）は、搬送装置（２５；２６／Ｉ，２７／ＩＩ）により自動的に搬送可能であり、クランプタイプの取込装置（３４；３５ａ；３５ｂ）へと供給されるようになっており（３１）、搬送装置（２５；２６／Ｉ，２７／ＩＩ）から分離可能で且つ少なくとも１つの回転コーマ装置（３９，４０）へと搬送可能であり、集まった繊維材料（１９；２８；２８ａ；２８ｂ）の各端部領域（２８ａ；２８ｂ）は、取込装置（３４；３５ａ；３５ｂ）から突出し、コーマ装置（３９，４０）によりくしけずり可能で、その後、測定装置（２３；５３，５４，５５）により検出可能であることを特徴とする装置。
【請求項２】
集まった繊維材料は、繊維スライバ等であることを特徴とする請求項１記載の装置。
【請求項３】
集まった繊維材料は、繊維フロックからなることを特徴とする請求項１又は２記載の装置。
【請求項４】
前記搬送装置は、少なくとも１つのローラ、コンベアベルト等を備えていることを特徴とする請求項１乃至３のいずれかに記載の装置。
【請求項５】
前記搬送装置は、ローラ対からなることを特徴とする請求項１乃至４のいずれかに記載の装置。
【請求項６】
少なくとも２組のローラ対が、牽伸システムの形態で存在することを特徴とする請求項１乃至５のいずれかに記載の装置。
【請求項７】
前記搬送装置は、搬送ローラ及びそれを通じたコンベアからなることを特徴とする請求項１乃至６のいずれかに記載の装置。
【請求項８】
前記搬送装置は、２つの連続して回転するコンベアベルトからなることを特徴とする請求項１乃至７のいずれかに記載の装置。
【請求項９】
クランプ型の搬送装置が設けられたことを特徴とする請求項１乃至８のいずれかに記載の装置。
【請求項１０】
前記搬送装置は、集まった繊維材料を、該繊維材料が裂けるようにクランプすることを特徴とする請求項１乃至９のいずれかに記載の装置。
【請求項１１】
牽伸システム内で、集まった繊維材料（繊維スライバ）に疎らな領域ができるように、引き込みが強くなることを特徴とする請求項１乃至１０のいずれかに記載の装置。
【請求項１２】
前記搬送装置、特に、牽伸システムは、集まった繊維材料を幅広く平坦な構造（例えば繊維フリース）に変換することを特徴とする請求項１乃至１１のいずれかに記載の装置。
【請求項１３】
フリース長における長さ当り及び／又はフリースの幅当りの繊維数は、牽伸システムの引き込みにより変化することを特徴とする請求項１乃至１２のいずれかに記載の装置。
【請求項１４】
繊維は、牽伸システム内で平行になることを特徴とする請求項１乃至１３のいずれかに記載の装置。
【請求項１５】
繊維フックが、牽伸システムにて除去可能であることを特徴とする請求項１乃至１４のいずれかに記載の装置。
【請求項１６】
前記取込装置は、集まった繊維材料を把持可能であることを特徴とする請求項１乃至１５のいずれかに記載の装置。
【請求項１７】
前記取込装置は、集まった繊維材料を保持可能であることを特徴とする請求項１乃至１６のいずれかに記載の装置。
【請求項１８】
前記取込装置は、集まった繊維材料をクランプ可能であることを特徴とする請求項１乃至１７のいずれかに記載の装置。
【請求項１９】
前記取込装置は、クランプ装置を備えたことを特徴とする請求項１乃至１８のいずれかに記載の装置。
【請求項２０】
クランプ装置は、その端部領域のみで、集まった繊維材料をクランプ可能であることを特徴とする請求項１乃至１９のいずれかに記載の装置。
【請求項２１】
クランプ装置の顎部は、該顎部の端部領域のみで、繊維スライバサンプルをクランプ可能であることを特徴とする請求項１乃至２０のいずれかに記載の装置。
【請求項２２】
クランプ装置の顎部は、繊維フロックサンプルを平坦にクランプ可能であることを特徴とする請求項１乃至２１のいずれかに記載の装置。
【請求項２３】
クランプ装置は、少なくとも１つの可動クランプ顎部を備えたことを特徴とする請求項１乃至２２のいずれかに記載の装置。
【請求項２４】
集まった繊維材料は、クランプ顎部間にしっかりとクランプ可能であることを特徴とする請求項１乃至２３のいずれかに記載の装置。
【請求項２５】
クランプ装置は、前記搬送装置（例えば、導引システムの搬送ローラ）の出力側に配置されたことを特徴とする請求項１乃至２４のいずれかに記載の装置。
【請求項２６】
前記搬送装置の出力とクランプ装置との間の距離は、最長の繊維の長さ以上であることを特徴とする請求項１乃至２５のいずれかに記載の装置。
【請求項２７】
クランプ装置は、前記搬送装置と搬送要素との間に配置されたことを特徴とする請求項１乃至２６のいずれかに記載の装置。
【請求項２８】
搬送要素は、吸引要素（例えば、吸引パイプ等である）であることを特徴とする請求項１乃至２７のいずれかに記載の装置。
【請求項２９】
搬送要素は、機械式把持要素（例えば、トング等）であることを特徴とする請求項１乃至２８のいずれかに記載の装置。
【請求項３０】
搬送要素は、前記搬送装置の送出端部の方向に変位可能（例えばスライド可能）であることを特徴とする請求項１乃至２９のいずれかに記載の装置。
【請求項３１】
クランプ装置は、搬送要素として使用されることを特徴とする請求項１乃至３０のいずれかに記載の装置。
【請求項３２】
クランプ装置は、集まった繊維材料が重力によりクランプ装置に入るように、前記搬送装置の下方に配置されたことを特徴とする請求項１乃至３１のいずれかに記載の装置。
【請求項３３】
前記取込装置及び搬送装置は、相互に可動であることを特徴とする請求項１乃至３２のいずれかに記載の装置。
【請求項３４】
前記取込装置は、集まった繊維材料が裂けるように、前記搬送装置に対して可動であることを特徴とする請求項１乃至３３のいずれかに記載の装置。
【請求項３５】
前記取込装置は、前記搬送装置から、実質的に直角に退避可能であることを特徴とする請求項１乃至３４のいずれかに記載の装置。
【請求項３６】
前記取込装置は、前記搬送装置から、斜め方向に退避可能であることを特徴とする請求項１乃至３５のいずれかに記載の装置。
【請求項３７】
前記取込装置は、集まった繊維材料が裂けるように、前記搬送装置に対して回転又は回動可能であることを特徴とする請求項１乃至３６のいずれかに記載の装置。
【請求項３８】
コーマ装置（例えば、少なくとも１つの回転コーミングローラ）と、集まってクランプされた繊維材料とは、相互に移動可能であることを特徴とする請求項１乃至３７のいずれかに記載の装置。
【請求項３９】
コーミングローラには、被覆体、針、鋸歯等が設けられたことを特徴とする請求項１乃至３８のいずれかに記載の装置。
【請求項４０】
コーミングローラの速度は、可変であり、特に、制御可能であることを特徴とする請求項１乃至３９のいずれかに記載の装置。
【請求項４１】
コーミングローラの回転方向は、可変であり、特に、制御可能であることを特徴とする請求項１乃至４０のいずれかに記載の装置。
【請求項４２】
クランプ装置とコーミングローラとの相対動作は、可変であり、特に制御可能であることを特徴とする請求項１乃至４１のいずれかに記載の装置。
【請求項４３】
コーミングローラは、低速、例えば１０乃至５０ｒｐｍで、回転することを特徴とする請求項１乃至４２のいずれかに記載の装置。
【請求項４４】
コーミングローラは、穿孔されたローラ基体を備えたことを特徴とする請求項１乃至４３のいずれかに記載の装置。
【請求項４５】
高速クリーニングローラが、コーミングローラに対応していることを特徴とする請求項１乃至４４のいずれかに記載の装置。
【請求項４６】
抽出装置が、櫛梳ローラ及び／又はクリーニングローラに対応していることを特徴とする請求項１乃至４５のいずれかに記載の装置。
【請求項４７】
集まった繊維材料（繊維フリンジ）の端部領域は、所定の様式で整列可能であることを特徴とする請求項１乃至４６のいずれかに記載の装置。
【請求項４８】
集まった繊維材料（繊維フリンジ）の端部領域は、実質的に直線状に整列可能であることを特徴とする請求項１乃至４７のいずれかに記載の装置。
【請求項４９】
吸引要素（例えば、吸引パイプ等）が、整列要素として設けられたことを特徴とする請求項１乃至４８のいずれかに記載の装置。
【請求項５０】
機械要素（例えば、トング、把持具等）が、整列要素として設けられたことを特徴とする請求項１乃至４９のいずれかに記載の装置。
【請求項５１】
整列要素とクランプ要素とは、相互に移動可能であることを特徴とする請求項１乃至５０のいずれかに記載の装置。
【請求項５２】
フィブログラフ装置が、測定装置として設けられたことを特徴とする請求項１乃至５１のいずれかに記載の装置。
【請求項５３】
フィブログラフ装置は、少なくとも１つの光源及び少なくとも１つの受光器を備えたことを特徴とする請求項１乃至５２のいずれかに記載の装置。
【請求項５４】
フィブログラフ装置とクランプ装置とは、相互に移動可能であることを特徴とする請求項１乃至５３のいずれかに記載の装置。
【請求項５５】
測定装置、例えばフィブログラフにて、測定は、集まった繊維材料（繊維フリンジ）を横切るように進退することにより実行されることを特徴とする請求項１乃至５４のいずれかに記載の装置。
【請求項５６】
当該装置は可搬であることを特徴とする請求項１乃至５５のいずれかに記載の装置。
【請求項５７】
当該装置は、少なくとも１台の紡績機に対する供給インタフェース及びデータインタフェースを有することを特徴とする請求項１乃至５６のいずれかに記載の装置。
【請求項５８】
マイクロプロセッサ付きの電子マイクロコンピュータ制御装置が設けられ、それに対して、前記搬送装置の要素駆動モータ、クランプ装置のクランプ動作用のアクチュエータ、クランプ装置を移動させるアクチュエータ、少なくとも１つの整列装置を移動させるアクチュエータ、櫛梳ローラ駆動モータ、測定装置を移動させるためのアクチュエータのうちの少なくとも１つが接続されたことを特徴とする請求項１乃至５７のいずれかに記載の装置。
【請求項５９】
測定されるべき繊維材料サンプルは、サンプル準備装置により自動的に準備されることを特徴とする請求項１乃至５８のいずれかに記載の装置。
【請求項６０】
サンプル準備及び測定は、自動的になされることを特徴とする請求項１乃至５９のいずれかに記載の装置。
【請求項６１】
集まった繊維材料として、繊維スライバが、紡績容器から導引可能であることを特徴とする請求項１乃至６０のいずれかに記載の装置。
【請求項６２】
紡績容器は、カードの下流に接続されたことを特徴とする請求項１乃至６１のいずれかに記載の装置。
【請求項６３】
紡績容器は、練条フレームの下流に接続されたことを特徴とする請求項１乃至６２のいずれかに記載の装置。
【請求項６４】
紡績容器は、牽伸システム、例えば、カード牽伸システム、練条フレームの牽伸システム、コーマの牽伸システム、フライヤ紡績フレームの牽伸システムの、下流に接続されたことを特徴とする請求項１乃至６３のいずれかに記載の装置。
【請求項６５】
集まった繊維材料は、前記搬送装置により連続して搬送されるようになっていることを特徴とする請求項１乃至６４のいずれかに記載の装置。
【請求項６６】
集まった繊維材料が裂けたものは、長さが約２００ｍｍであることを特徴とする請求項１乃至６５のいずれかに記載の装置。
【請求項６７】
集まった繊維材料は、紡績機（例えば、カード）から取り出されることを特徴とする請求項１乃至６５のいずれかに記載の装置。
【請求項６８】
集まった繊維材料は、カードの供給領域から取り出されることを特徴とする請求項１乃至６７のいずれかに記載の装置。
【請求項６９】
集まった繊維材料は、カードに送り込まれる繊維フロックから取り出されることを特徴とする請求項１乃至６８のいずれかに記載の装置。
【請求項７０】
集まった繊維材料は、被覆要素（例えば、被覆又は穿針されたローラ）、固定されたカージング要素等での処理前に取り出されることを特徴とする請求項１乃至６９のいずれかに記載の装置。
【請求項７１】
集まった繊維材料は、カードの送出領域から取り出されることを特徴とする請求項１乃至７０のいずれかに記載の装置。
【請求項７２】
集まった繊維材料は、被覆要素（例えば、被覆又は穿針されたローラ）、固定されたカージング要素等での処理後に取り出されることを特徴とする請求項１乃至７１のいずれかに記載の装置。
【請求項７３】
集まった繊維材料は、カードのローラから取り出されることを特徴とする請求項１乃至７２のいずれかに記載の装置。
【請求項７４】
集まった繊維材料は、カードのリッカーインから取り出されることを特徴とする請求項１乃至７３のいずれかに記載の装置。
【請求項７５】
集まった繊維材料は、カードのドッファから取り出されることを特徴とする請求項１乃至７４のいずれかに記載の装置。
【請求項７６】
カードの取込領域（例えば、繊維フロックの取込）から、及び、カードの送出領域（例えば、紡績容器内のカードスライバ）からの繊維長（ステープル）及び繊維長分布の測定値が、相互に比較されることを特徴とする請求項１乃至７５のいずれかに記載の装置。
【請求項７７】
激しい処理及びゆるやかな処理でのスライバからの繊維長分布の測定値が、相互に比較されることを特徴とする請求項１乃至７６のいずれかに記載の装置。
【請求項７８】
個々のアセンブリの激しい設定及びゆるやかな設定でのスライバからの繊維長分布の測定値が、相互に比較されることを特徴とする請求項１乃至７７のいずれかに記載の装置。
【請求項７９】
カードでの処理による繊維の短縮及び／又は損傷が、測定値の比較により確認されることを特徴とする請求項１乃至７８のいずれかに記載の装置。
【請求項８０】
繊維長及び繊維長分布から、処理中の繊維の応力を示す特性数が求められることを特徴とする請求項１乃至７９のいずれかに記載の装置。
【請求項８１】
繊維長及び繊維長分布から、スライバ中のフックの程度を示す特性数が求められることを特徴とする請求項１乃至７９のいずれかに記載の装置。
【請求項８２】
繊維スライバは、一部分で、何度か検査され、そして、同スライバは、別の点で何度か検査されるために、さらに自動的に引き出されることを特徴とする請求項１乃至８１のいずれかに記載の装置。
【請求項８３】
集まった繊維フリンジは、吸引による開放クランプから取り出されることを特徴とする請求項１乃至８２のいずれかに記載の装置。
【請求項８４】
集まった繊維フリンジは、ブラシによる開放クランプから取り出されることを特徴とする請求項１乃至８３のいずれかに記載の装置。
【請求項８５】
集まった繊維フリンジは、カードローラによる開放クランプから取り出されることを特徴とする請求項１乃至８４のいずれかに記載の装置。
【請求項８６】
クランプ装置のクランプ要素を移動させるための装置が存在することを特徴とする請求項１乃至８５のいずれかに記載の装置。
【請求項８７】
前記取込装置を移動させるための装置が存在することを特徴とする請求項１乃至８６のいずれかに記載の装置。
【請求項８８】
クランプ装置を移動させるための装置が存在することを特徴とする請求項１乃至８７のいずれかに記載の装置。
【請求項８９】
各コーミングローラを移動させるための装置が存在することを特徴とする請求項１乃至８８のいずれかに記載の装置。
【請求項９０】
測定装置を移動させるための装置が存在することを特徴とする請求項１乃至８９のいずれかに記載の装置。
【請求項９１】
少なくとも１つの測定装置が、電子機器制御及び管理システム（例えば、梳毛機）に対して接続されたことを特徴とする請求項１乃至９０のいずれかに記載の装置。
【請求項９２】
測定値は、紡績機（例えば、カード）を設定するために用いられることを特徴とする請求項１乃至９１のいずれかに記載の装置。
【請求項９３】
機器要素及び機器（カード）の動作要素を設定するためのアクチュエータが、電子機器制御及び調節システムに対して接続されたことを特徴とする請求項１乃至９２のいずれかに記載の装置。
【発明の詳細な説明】
【技術分野】
【０００１】
本発明は、特に紡績準備にて、繊維材料サンプルの繊維長及び繊維長分布を定めする装置に関する。そこでは、サンプル準備要素が、測定、評価、及び表示装置の上流に配置され、準備要素は、集められた繊維材料の処理用のクランプ装置及びコーム要素を備え、そのコーム要素は、測定に使用するための繊維フリンジを形成する。
【背景技術】
【０００２】
紡績の実際の操業にて、生産物から取り出された繊維スライバは、繊維試験室に持ち込まれ、そこにおいて、以下の検査が実行される。
【０００３】
（ａ）いくつかのスライバが、事前に手動で開かれたクランプ内に手動で置かれ、注意深く、すなわち、均一に、クランプの幅に亘って分布され、そして、クランプは手動で閉じられる。
【０００４】
（ｂ）フリースは、２枚の皮革で被覆されたプレート間にクランプされる。プレートは、相互に平坦に当接するように押される。実際に定まったクランプ点はない。
【０００５】
（ｃ）フリースは、単列の直線状コームを用いて、手動でくしけずられる。
【０００６】
（ｄ）円形ブラシが最後に用いられ、再度繊維フリンジをブラシがけする。
【０００７】
（ｅ）クランプの一方の側が、フィブログラフ（fibrograph）にかけられ、クランプが回され、他方の側がフィブログラフにかけられる。フィブログラフを用いて、２つの繊維フリンジが、光源を通過して移送される。通過した光源の光は、受光器に当って記録されるとともに評価される。
【０００８】
繊維スライバ、及びフライヤ紡績フレームのスラブを検査するために、Spinnlab, Knoxville, Tenn., USAの“Fibrograph 630”なるリーフレットには、サンプルの準備のために、どのように繊維材料が開かれ、広げられ、繊維クランプ内に配置されるのかが、記述されている。クランプ部材は、サンプル区域における実際の配置にて、繊維を保持する。ランダムにつながり、重複して、非平行な繊維間の関係は、そのままで残る。サンプルがこのように準備された場合、繊維クランプが、フィブログラフ内に配置され、それにより繊維フリンジがくしけずられ、サンプルが光学的に走査されて、測定結果が表示される。
【０００９】
既知のサンプル準備には、時間がかかる。サンプルを手動で取り扱って処理し、それを測定装置内に配置することが、紡績工場から試験室へと移送することに追加される。サンプル準備は個々に取り扱われるので、サンプルは、均質に一貫しているわけではないということが、さらなる欠点である。最後に、紡績機の位置で繊維測定が不能であることは不便である。
【発明の開示】
【発明が解決しようとする課題】
【００１０】
それに対し、本発明は前記の欠点を回避する、導入部にて説明したような種類の装置を製造する課題に、基づいている。それにより、特に、サンプルを均等に準備することが短時間で可能となり、サンプルの正確な測定ができるようになる。
【課題を解決するための手段】
【００１１】
その課題は、請求項１における特徴により解決される。
【００１２】
これは、搬送装置、クランプ装置、及び少なくとも１つのコーミングローラが、搬送装置とともに設けられているためである。ここで、上述の装置自体の動作のみでなく、装置間の搬送が自動的になされ、全サンプルの準備のための同一の前提条件が作成される。特に、手動での取扱による異常が排除される。本装置が、工場内で、機器又は繊維スライバ容器にて直接に使用可能であることが、さらなる特別な利点である。装置内でサンプルをより迅速に準備できるようになるだけでなく、繊維試験室から離れて検査を実行することにより、かなりの時間が節約される。確認された繊維長及び繊維長分布は、カードの最適な設定（繊維の短縮／ネップ数）に使用可能であり、処理済繊維材料から短い繊維を減少させるか除去するのにも利用可能である。
【００１３】
請求項２乃至請求項９３には、本発明の有利な発展が含まれている。
【００１４】
有利なこととして、カードの供給領域（例えば、繊維フロック供給）から、及びカードの送出領域（例えば、紡績容器内のカードスライバ）からの繊維長（ステープル）及び繊維長分布の測定値が、相互に比較される。激しい処理及びゆるやかな処理でのスライバからの繊維長分布の測定値が、相互に比較されることが望ましい。個々のアセンブリ（例えば、被覆された回転針布上部又は固定針布上部）の激しい設定及びゆるやかな設定でのスライバからの繊維長分布の測定値が、相互に比較されることが望ましい。カードでの処理による繊維の短縮化及び／又は繊維の損傷が、測定値の比較により確認される。繊維損傷センサ（繊維応力センサＦＳＳ）は、上述の測定により作成される。カードに起因するステープルの短縮化についての正確な情報を、取得することが可能である。動作要素又は機器要素を調整することにより、カードでの繊維に対する損傷を可能な限り少なくすることが可能である。
【発明を実施するための最良の形態】
【００１５】
以下、図面に示した例示的な実施形態を参照して、本発明を詳細に説明する。
【００１６】
図１はカード１５、例えば、Trutzschler high-performance card DK 903を示し、これは、フィードローラ１、フィードテーブル２、リッカーイン３ａ，３ｂ，３ｃ、シリンダ４、ドッファ５、ストリッピングローラ６、スクイーズローラ７，８、ウェブガイド要素９、ウェブファンネル１０、取出ローラ１１，１２、及び、カージング部１４のある回転上部フラット１３を有する。ローラの回転方向は、それぞれの湾曲矢印により示されている。文字Ａは、動作方向を指している。フロックのシュートフィード１６、例えばTrutzschler Direktfeed DFKが、カード１５の上流に設置されている。シュートフィード１６は、上部貯留ホッパ１７ａ、及び下部フィードシュート１７ｂを備えている。空気式で圧縮された（図示せぬ）繊維フロック材料が、フィードシュート１７ｂの端部にて、フィードローラ１により取り出され、フィードローラ１とフィードテーブル２との間隙を通じて、高速リッカーイン３ａへと導かれる。ケンスコイラ１８は、カード１５の送出端部に配置されている。カード１５から送出された繊維スライバ１９は、ケンスコイラ１８により、紡績用ケンス２０内にコイル状に積まれる。
【００１７】
図２を参照すると、繊維長の測定要素２３を有する本発明による装置、ネップ数の測定要素２２（例えば、Trutzschler Nepcontroll NCT）、カード１５のアクチュエータ２４は、電子制御及び調節システム（制御部）２１、例えば、マイクロプロセッサ付きの機器制御システムに、接続されている。測定要素２３は、カード１５のフィード領域において繊維材料を、例えば供給された繊維フロックを連続して測定するのに使用可能であり、また、カード１５の送出端部においてカードスライバ１９を、連続して測定するのに使用可能である。カード１５の供給及び送出端部において測定された繊維長の値から、制御部２１にて、繊維の損傷が評価される。測定された繊維の損傷及びネップ数から、制御部２１は、カード１５の動作要素に対する最適設定値を求め、それは、アクチュエータ２４、例えば、制御可能駆動モータ、ステッピングモータ、又は同等のもの、により調整される。
【００１８】
図３を参照すると、シリンダ４の速度が上昇するにつれて、ネップ数が減少し、繊維の短縮化が増加する。繊維の短縮化の依存性は、繊維品質Ａ、Ｂ、及びＣについて図示されている。ネップ数の曲線と繊維の短縮化の曲線との交点が、最適値（破線参照）となる。この最適値は、制御及び調節システム２１内にて、ネップ数及び繊維の短縮化について入力された曲線から算出されて決定される。これは、所望値メモリ内に格納された特性曲線と比較することを含む。
【００１９】
図４によると、繊維材料サンプル（例えば繊維スライバ２８、繊維フロック、又は同等のもの）の繊維長及び繊維長分布を定める装置は、例えばフィブログラフ２３の形体で構成された測定、評価、及び表示する装置からなる。複数のサンプル準備要素が、フィブログラフ２３の上流に配置されている。その目的のために、牽伸システム２５が、搬送装置として、例えば、それ自体公知のツー・オーバー・ツー牽伸システムとして設けられている。すなわち、２個の下部ローラＩ，ＩＩ（Ｉは下部デリバリローラ、ＩＩは下部フィードローラ）、及び２個の上部ローラ２６，２７からなる。繊維材料２８、例えばカード１５の繊維スライバ１９の牽伸が牽伸システム２５にて行われる。ローラ対２６／Ｉ及びローラ対２７／ＩＩは、可変速駆動モータ２９，３０によりそれぞれ駆動される。ローラＩ，ＩＩ，２６，２７の回転方向は、湾曲矢印により示されている。文字Ａは、動作方向（繊維スライバ２８の移動方向）を指している。
【００２０】
実質的にローラ対２６／Ｉとローラ対２７／ＩＩとの間のニップ線に沿って、搬送要素３１が、デリバリローラ２６／Ｉから出てくる繊維スライバ２８を搬送するために、ローラ対２６／Ｉから距離をおいて設けられている。図５に示すように、搬送要素３１は、２つのガイド要素３２ａ，３２ｂ（例えば、バー、ガイドウェイ、レール等）に取り付けられており、矢印Ｂ，Ｃ方向に変位可能である。搬送要素３１は、吸引パイプ３１ａを備えている。吸引パイプ３１ａは、吸入源（図示せず）に連通している。なお、吸引源は、吸引パイプ３１ａを通じてＤ方向へと空気を吸引する。吸引パイプ３１ａの端部領域には、把持フラップ要素３１ｂ又は同等のものが設けられている。把持フラップ要素３１ｂは、矢印Ｅ，Ｆ方向に回転するように、一端がピボットベアリング３３に取り付けられている。フラップ要素３１ｂは、駆動要素（図示せず）、例えば空気シリンダ又は同等のものにより駆動可能である。フラップ３１ｂは、その閉鎖位置にて（回転方向Ｆ）、繊維スライバ２８を、吸引パイプ３１ａの内壁に対してしっかりとクランプする。
【００２１】
また、実質的に搬送ローラ対２６／Ｉと整列し、それから距離をおいて、クランプ型の取込装置３４が配置される。このクランプ型取込装置３４は、搬送されてきた繊維スライバ２８をしっかりとクランプして、それを保持又は固定する。図６に示すように、取込装置３４は、２つのクランプ要素３５ａ，３５ｂ（例えば、クランプ顎部又は同等のもの）を備えている。クランプ顎部３５ａは、矢印Ｇ，Ｈ方向へ回転するように、ピボットベアリング３６に取り付けられており、空気シリンダ３７の一端が、クランプ顎部３５ａに対して軸支されている。クランプ顎部３５ａ，３５ｂは、ともにモジュールを形成している。このモジュールは、所望の位置へと移動可能である（図８（Ｅ）の矢印Ｉ参照）。
【００２２】
取込装置３４のほぼ垂直下方には、コーマ装置３８がある。このコーマ装置３８は、２つのコーミングローラ３９，４０を備えている。なお、コーミングローラ３９，４０は、それらの軸が互いに平行となっており、２つの可変速駆動モータ４１，４２によりそれぞれ駆動される。コーミングローラ３９，４０は、矢印３９1及び矢印４０1方向へと、低速（例えば２０ｒｐｍ）で回転する。コーミングローラ３９，４０の回転方向は、繊維フリンジ２８ａ，２８ｂ（図８（Ｅ））を両側からくしけずるように、可逆になっている。コーミングローラ３９，４０は、それらの周面上に、それぞれのコーミング針布３９2，４０2が設けられている。それらの外側にて、各コーミングローラ３９，４０は、吸入装置４３，４４と関連している。なお、吸入装置４３，４４は、それぞれＮ及びＯ方向へと、繊維フリンジ２８ａ，２８ｂ（特に繊維フリンジ２８ａ，２８ｂをくしけずった繊維材料）についての繊維材料の余剰部分を吸引するために、それぞれ吸気源（図示せず）と連通している。
【００２３】
コーマ装置３８の下方には、繊維整列ユニット４５がある。この繊維整列ユニット４５は、２つの搬送要素４６，４７を備えている。これら搬送要素４６，４７は、搬送要素３１（図５参照）と実質的に同一の構成をとりうる。また、搬送要素４６，４７は、この場合、それぞれの吸引パイプ４８，４９を有する。なお、吸引パイプ４８，４９は、互いに同軸上に配列されている。枢動把持フラップ５０，５１がそれぞれ対応した吸引パイプ４８，４９の吸引口は、互いに対向している。吸気流の方向は、文字Ｐ及びＱで示されている。搬送要素４６，４７は、繊維フリンジ２８ａ，２８ｂを並べるのに役立つ。なお、繊維フリンジ２８ａ，２８ｂは、コーミングローラ３９，４０の回転方向３９1４０1に応じて、上方又は下方へと曲がる。
【００２４】
測定装置としてのフィブログラフ２３は、繊維整列ユニット４５の下方に配列される。フィブログラフ２３は、ハウジング５２を備え、その中には、センサ要素５３が移動可能に（例えば矢印Ｌ，Ｍ方向にスライド可能に）設けられている。図７に示すように、センサ要素５３は断面Ｕ字型になっており、発光器５４（例えば、ランプ又は同様のもの）がリム５３ａ内に配置され、受光器５５（例えば、光電セル又は同等のもの）がリム５３ｂ内に配置されている。センサ５３は、矢印Ｌ，Ｍ方向に動作可能であり（図４参照）、繊維フリンジ２８ａ，２８ｂを含む取込装置３４が発光器５４及び受光器５５間で静止して、発光器５４及び受光器５５間で検出可能となるようになっている。
【００２５】
繊維材料２８を牽伸システム２５及び搬送要素３１のレベルから、ほぼ垂直に上から下へと、コーマ装置３８及び繊維整列装置４５を通ってフィブログラフ２３へと、取込装置３４により搬送するために、垂直ガイド要素５２（例えば、ロッド、ガイドウェイ、レール、又は同等なもの）が、設けられている。取込装置３４は、ガイド要素５２上で矢印Ｉ，Ｋ方向に動作可能（例えばスライド可能）である。保持装置（図示せず）、例えばロック装置が、要素３８，４５，２３のレベルに設けられている。
【００２６】
図８（Ａ）を参照すると、円形又は楕円形断面の繊維スライバ２８は、牽伸システム２５を通じて右方へと搬送されて、ローラ対２６／Ｉ及びローラ対２７／ＩＩの取込及び圧力により、平坦なフリース形状の構造へと変換される。繊維材料２８は、同時に横へと（牽伸システム２５のローラ軸に平行に）広げられる。搬送装置３１は、ローラ対２６／Ｉに向かってＣ方向へと、そこから短距離となるまで移動し、搬送ローラ２６／Ｉのローラ挟持部から突出した繊維材料２８の短い端部が取り込まれて、吸気流Ｄによって吸引パイプ３１ａの内部空間へと吸い込まれる（図５参照）。次に、搬送要素３１は、図８（Ｂ）に示すようにＢ方向に移動し、牽伸システム２５の搬送速度及び搬送要素３１の動作速度は、繊維スライバ２８の構造が損なわれないように、特に繊維材料が裂けないように、互いに調整されているか、あるいは、互いに同期している。図８（Ｒ）及び図８（Ｃ）に示すように、繊維材料２８は、取込装置３４を通じて右方へ引かれる。次に、クランプ顎部３５ａ，３５ｂ（図６）は、互いへと向けて動くか、あるいは閉じられて、繊維スライバ２８は、図８（Ｂ）に示すようにクランプ顎部３５ａ，３５ｂ間にしっかりとクランプされるか、あるいは固定される。次のステップでは、取込装置３４は、把持された繊維スライバ２８とともに、ガイド５２（図４）に沿ってＩ方向に下方へと変位する。このようになるにつれて、把持された繊維材料２８は、牽伸システム２５内に把持された繊維材料２８と、搬送要素３１内に把持された繊維材料２８とから引き裂かれ、短い繊維フリンジ２８ａ，２８ｂは、取込装置３４から、その両側にそれぞれ突出している。
【００２７】
取込装置３４は、図８（Ｅ）に示すように２つのコーミングローラ３９，４０間を移動する。その結果、繊維フリンジ２８ａ，２８ｂは、コーミング針布３９2，４０2の動作範囲に入ってくる。従って、繊維フリンジ２８ａ，２８ｂはくしけずられ、針布３９2，４０2にてくしけずられて取り除かれた繊維材料は、吸引パイプ４３，４４を通じて吸引されることにより、抽出される。図８（Ｅ）及び図８（Ｆ）に図示された処理は、矢印Ｉ及び矢印Ｋ（図４）の方向に取込装置３４を変位させてコーミングローラ３９，４０間の空間に対して入出させることにより、何度も反復可能である。なお、回転方向３９，４０は毎回逆転される。このように、繊維フリンジ２８ａ，２８ｂは、両側の各々から何度もくしけずられる。回転が図８（Ｇ）に図示した方向３９1，４０1に起こると、繊維フリンジ２８ａ，２８ｂは、対応して下方へと曲がる。繊維フリンジ２８ａ，２８ｂを直線状に並べるために、図８（Ｇ）に示す搬送要素４６，４７は、繊維フリンジ２８ａ，２８ｂが図８（Ｈ）に示すように取り込まれてクランプされるように、矢印Ｒ及び矢印Ｓの方向へそれぞれ移動する。
【００２８】
次に、図８（Ｈ）に示す搬送要素４６，４７は、矢印Ｔ及び矢印Ｕの方向へそれぞれ低速で移動し、その結果、繊維フリンジ２８ａ，２８ｂは、直線状に、そして次に、水平、すなわち取込装置３４の軸と平行に、並べられる。図８（Ｉ）及び図８（Ｊ）に示すように、取込装置３４は、繊維フリンジ２８ａ，２８ｂが直線状に並んだ状態で、ガイド５２（図４）に沿ってフィブログラフ２３へと移動する。取込装置３４は、センサ５３内の発光器５４及び受光器５５（図７参照）間の中間空間のレベルに達する。次に、センサ５３は、取込装置３４上を、矢印Ｌ、Ｍ（図４）の方向に進退変位する。このことがなされるとともに、発光器は、繊維フリンジ２８ａ，２８ｂを照射する。通過した光線は、受光器５５により受光され、電気信号へと変換され、評価及び表示装置へと（既知の方法で）入力される。
【００２９】
このように、繊維フリンジ２８ａ，２８ｂにおける繊維長及び繊維長分布が、フィブログラフ２３により確認される。フィブログラフ２３は、その解析結果を、フィブログラム（繊維フリンジ曲線、繊維長分布）の形体で再生。このようなフィブログラフを図９に示す。頻度が百分率で横軸に示され、繊維長がミリメートルで縦軸に示されている。例として図９に示すフィブログラムにより、全繊維の１００％が、少なくとも３．８ｍｍの長さを有することが、図示されている。全繊維の約９３％が５ｍｍより長く、全繊維の約８８％が６．５ｍｍより長くなっている。グラフに示すように、繊維長が長くなるとそれだけ、最終的に繊維長が約３４ｍｍより長くなって繊維が検出されなくなるまで、繊維の総量における比率が小さくなる。長さが６乃至６．５ｍｍ未満の繊維は、紡績糸の強度に寄与し得ないことがわかっている。その理由について、図９に示す曲線から、全繊維におけるどれだけの割合のものが、設定された最低限の長さの５乃至６．５ｍｍ未満になっているかが、求められる。フィブログラムにより、５ｍｍについて、例えば、全繊維の７％が５ｍｍ未満であることが示されている。この曲線により、全繊維の１２％が６．５ｍｍ未満であることが示されている。このように確定した７乃至１２％が、カードのカージング強度を設定するのに用いられることが望ましい。ステープル図用のデータが、図２に示す電子制御及び調節システム２１内に入力可能である。このデータ及びネップ数から、カード１５のカージング強度設定用の最適値が、算出される。
【００３０】
図１０を参照すると、本発明の装置用の電子制御及び調節システム５６は、マイクロプロセッサ付きのマイクロコンピュータを備えている。それに対して、牽伸システム２５用の駆動モータ２９，３０、搬送要素３１を移動させるための駆動モータ５７、フラップ３１ｂ制御用の駆動装置５８、クランプ装置３５ａ，３５ｂ用のアクチュエータ３７、取込装置３４を移動させるためのアクチュエータ５９、コーミングローラ３９，４０の駆動モータ４１，４２、搬送要素４７，４８を移動させるためのアクチュエータ６０，６１、センサ５３を移動させるための駆動モータ６２、及び、表示手段（例えば、画面６４、プリンタ等）が、接続されている。また、機器制御及び調節システム２１（図２）は、インタフェースを通じてフィブログラフ２３の制御及び管理システムとしても、使用可能である。本発明の装置を用いて、サンプル準備要素及びフィブログラフ２３の動作と、サンプル準備要素及びフィブログラフ２３間の繊維材料２８及び繊維フリンジ２８ａ，２８ｂの変位との双方が、制御されて、それにより自動的に実現されてもよい。
【００３１】
とりわけ以下の利点が、本発明の装置（以下ＦＳＳと略記）で得られる。
【００３２】
・ＦＳＳの測定が、既知の測定のどれよりも迅速に実行される。
【００３３】
・ＦＳＳのサンプル準備及び測定は、完全に自動的になされる。
【００３４】
・ＦＳＳのサンプル検査全体により、一貫したサンプル準備及び測定が保証される。
【００３５】
・ＦＳＳのサンプル準備は、注意深く均一に実行される。
【００３６】
・明らかに３．８ｍｍ未満の繊維長は、ＦＳＳ検査装置で確実に検出される。
【００３７】
・ＨＶＩ測定手順よりも多くの繊維が、ＦＳＳ検査方法で検査される。
【００３８】
・繊維の全種類が、ＦＳＳ装置で測定可能である。
【００３９】
・繊維材料は、ＦＳＳ装置で、紡績容器から直接取り出される。
【００４０】
・検査毎にランダムなサイズが、ＦＳＳ装置で自動的に測定可能である。
【００４１】
・必要に応じて、繊維検査は、紡績容器全体に亘り一定のスライバ長間隔で、ＦＳＳ装置により自動的に実行可能である。
【００４２】
・測定は、直接、紡績機にて、ＦＳＳ装置で実行可能である。
【００４３】
・ＦＳＳ装置は、インタフェースを通じて、直接、紡績機に対して接続可能である。
【００４４】
・前方及び後方測定により、特性値の算出が可能となり、繊維フックについての情報が取得されるようになる。
【００４５】
・スライバ構造が、ＦＳＳ装置を用いて定量化可能である。
【００４６】
・ＦＳＳ装置は可搬である。
【００４７】
さらに、本発明の付記は下記の通りである。
【００４８】
集まった繊維材料は、繊維スライバ等である。集まった繊維材料は、繊維フロックからなる。前記搬送装置は、少なくとも１つのローラ、コンベアベルト等を備えている。前記搬送装置は、ローラ対からなる。少なくとも２組のローラ対が、牽伸システムの形態で存在する。前記搬送装置は、搬送ローラ及びそれを通じたコンベアからなる。前記搬送装置は、２つの連続して回転するコンベアベルトからなる。クランプ型の搬送装置が設けられる。前記搬送装置は、集まった繊維材料を、該繊維材料が裂けるようにクランプする。牽伸システム内で、集まった繊維材料（繊維スライバ）に疎らな領域ができるように、引き込みが強くなる。前記搬送装置、特に、牽伸システムは、集まった繊維材料を幅広く平坦な構造（例えば繊維フリース）に変換する。フリース長における長さ当り及び／又はフリースの幅当りの繊維数は、牽伸システムの引き込みにより変化する。繊維は、牽伸システム内で平行になる。繊維フックが、牽伸システムにて除去可能である。前記取込装置は、集まった繊維材料を把持可能である。前記取込装置は、集まった繊維材料を保持可能である。前記取込装置は、集まった繊維材料をクランプ可能である。前記取込装置は、クランプ装置を備える。クランプ装置は、その端部領域のみで、集まった繊維材料をクランプ可能である。クランプ装置の顎部は、該顎部の端部領域のみで、繊維スライバサンプルをクランプ可能である。クランプ装置の顎部は、繊維フロックサンプルを平坦にクランプ可能である。クランプ装置は、少なくとも１つの可動クランプ顎部を備える。集まった繊維材料は、クランプ顎部間にしっかりとクランプ可能である。クランプ装置は、前記搬送装置（例えば、導引システムの搬送ローラ）の出力側に配置される。前記搬送装置の出力とクランプ装置との間の距離は、最長の繊維の長さ以上である。クランプ装置は、前記搬送装置と搬送要素との間に配置される。搬送要素は、吸引要素（例えば、吸引パイプ等である）である。搬送要素は、機械式把持要素（例えば、トング等）である。搬送要素は、前記搬送装置の送出端部の方向に変位可能（例えばスライド可能）である。クランプ装置は、搬送要素として使用される。クランプ装置は、集まった繊維材料が重力によりクランプ装置に入るように、前記搬送装置の下方に配置される。前記取込装置及び搬送装置は、相互に可動である。前記取込装置は、集まった繊維材料が裂けるように、前記搬送装置に対して可動である。前記取込装置は、前記搬送装置から、実質的に直角に退避可能である。前記取込装置は、前記搬送装置から、斜め方向に退避可能である。前記取込装置は、集まった繊維材料が裂けるように、前記搬送装置に対して回転又は回動可能である。コーマ装置（例えば、少なくとも１つの回転コーミングローラ）と、集まってクランプされた繊維材料とは、相互に移動可能である。コーミングローラには、被覆体、針、鋸歯等が設けられる。コーミングローラの速度は、可変であり、特に、制御可能である。コーミングローラの回転方向は、可変であり、特に、制御可能である。クランプ装置とコーミングローラとの相対動作は、可変であり、特に制御可能である。コーミングローラは、低速、例えば１０乃至５０ｒｐｍで、回転する。コーミングローラは、穿孔されたローラ基体を備える。高速クリーニングローラが、コーミングローラに対応している。抽出装置が、櫛梳ローラ及び／又はクリーニングローラに対応している。集まった繊維材料（繊維フリンジ）の端部領域は、所定の様式で整列可能である。集まった繊維材料（繊維フリンジ）の端部領域は、実質的に直線状に整列可能である。吸引要素（例えば、吸引パイプ等）が、整列要素として設けられる。機械要素（例えば、トング、把持具等）が、整列要素として設けられる。整列要素とクランプ要素とは、相互に移動可能である。フィブログラフ装置が、測定装置として設けられる。フィブログラフ装置は、少なくとも１つの光源及び少なくとも１つの受光器を備える。フィブログラフ装置とクランプ装置とは、相互に移動可能である。測定装置、例えばフィブログラフにて、測定は、集まった繊維材料（繊維フリンジ）を横切るように進退することにより実行される。当該装置は可搬である。当該装置は、少なくとも１台の紡績機に対する供給インタフェース及びデータインタフェースを有する。マイクロプロセッサ付きの電子マイクロコンピュータ制御装置が設けられ、それに対して、前記搬送装置の要素駆動モータ、クランプ装置のクランプ動作用のアクチュエータ、クランプ装置を移動させるアクチュエータ、少なくとも１つの整列装置を移動させるアクチュエータ、櫛梳ローラ駆動モータ、測定装置を移動させるためのアクチュエータのうちの少なくとも１つが接続される。測定されるべき繊維材料サンプルは、サンプル準備装置により自動的に準備される。サンプル準備及び測定は、自動的になされる。集まった繊維材料として、繊維スライバが、紡績容器から導引可能である。紡績容器は、カードの下流に接続される。紡績容器は、練条フレームの下流に接続される。紡績容器は、牽伸システム、例えば、カード牽伸システム、練条フレームの牽伸システム、コーマの牽伸システム、フライヤ紡績フレームの牽伸システムの、下流に接続される。集まった繊維材料は、前記搬送装置により連続して搬送されるようになっている。集まった繊維材料が裂けたものは、長さが約２００ｍｍである。集まった繊維材料は、紡績機（例えば、カード）から取り出される。集まった繊維材料は、カードの供給領域から取り出される。集まった繊維材料は、カードに送り込まれる繊維フロックから取り出される。集まった繊維材料は、被覆要素（例えば、被覆又は穿針されたローラ）、固定されたカージング要素等での処理前に取り出される。集まった繊維材料は、カードの送出領域から取り出される。集まった繊維材料は、被覆要素（例えば、被覆又は穿針されたローラ）、固定されたカージング要素等での処理後に取り出される。集まった繊維材料は、カードのローラから取り出される。集まった繊維材料は、カードのリッカーインから取り出される。集まった繊維材料は、カードのドッファから取り出される。カードの取込領域（例えば、繊維フロックの取込）から、及び、カードの送出領域（例えば、紡績容器内のカードスライバ）からの繊維長（ステープル）及び繊維長分布の測定値が、相互に比較される。激しい処理及びゆるやかな処理でのスライバからの繊維長分布の測定値が、相互に比較される。個々のアセンブリの激しい設定及びゆるやかな設定でのスライバからの繊維長分布の測定値が、相互に比較される。カードでの処理による繊維の短縮及び／又は損傷が、測定値の比較により確認される。繊維長及び繊維長分布から、処理中の繊維の応力を示す特性数が求められる。繊維長及び繊維長分布から、スライバ中のフックの程度を示す特性数が求められる。繊維スライバは、一部分で、何度か検査され、そして、同スライバは、別の点で何度か検査されるために、さらに自動的に引き出される。集まった繊維フリンジは、吸引による開放クランプから取り出される。集まった繊維フリンジは、ブラシによる開放クランプから取り出される。集まった繊維フリンジは、カードローラによる開放クランプから取り出される。クランプ装置のクランプ要素を移動させるための装置が存在する。前記取込装置を移動させるための装置が存在する。クランプ装置を移動させるための装置が存在する。各コーミングローラを移動させるための装置が存在する。測定装置を移動させるための装置が存在する。少なくとも１つの測定装置が、電子機器制御及び管理システム（例えば、梳毛機）に対して接続される。測定値は、紡績機（例えば、カード）を設定するために用いられる。機器要素及び機器（カード）の動作要素を設定するためのアクチュエータが、電子機器制御及び調節システムに対して接続される。
【図面の簡単な説明】
【００４９】
【図１】図１は本発明による装置が使用可能なカードを示す略側面図である。
【図２】図２は少なくとも本発明による装置及びアクチュエータ（例えばモータ）が接続される電子的なカード制御及び管理システムを示すブロック図である。
【図３】図３は異なった繊維品質に関する短繊維の比率及びネップ数のシリンダ速度に対する関係を示す図である。
【図４】図４は本発明による装置の側面図である。
【図５】図５は導引システムから出た繊維材料用の図４に示した把持フラップのある搬送要素としての吸入パイプを示す図
【図６】図６は図４に示した取込装置の側面図
【図７】図７は図４に示した検出装置の側面図
【図８】図８は本発明による装置の動作モードを示す模式図である。
【図９】図９はフィブログラムを示す図である。
【図１０】図１０は本発明による装置の電子制御及び調節システムのブロック回路図である。
【符号の説明】
【００５０】
４…シリンダ
５…ドッファ
２１…制御及び調節システム
２２…ネップ測定装置
２３…繊維長測定装置（フィブログラフ）
２４…アクチュエータ
２５…牽伸装置
３１…搬送装置
３４…取込み装置
３８…コーマ装置
４５…繊維整列ユニット
【図１】
2004277997.tif 000003
【図２】
2004277997.tif 000004
【図３】
2004277997.tif 000005
【図４】
2004277997.tif 000006
【図５】
2004277997.tif 000007
【図６】
2004277997.tif 000008
【図７】
2004277997.tif 000009
【図８】
2004277997.tif 000010
【図９】
2004277997.tif 000011
【図１０】
2004277997.tif 000012